(57)【要約】      （修正有）【課題】使用者に対して不快感をあたえることなく、カメラ内部の熱を効率的に放熱する。【解決手段】アクセサリーユニットを電子機器本体に対して着脱可能な構成において、本体の外観をなす外装部材１０１と、本体内部に配置される電子基板１０４と、電子基板からの熱を伝えるように本体内部に固定されるシャーシ部材１０７と、一部が外観に露出しアクセサリーユニットを取り付けるための取付け座１０３と、シャーシ部材に対して移動可能に保持される可動部材１２０と、可動部材をシャーシ部材から離間する方向への付勢力を発生させる付勢手段１２１と、本体内への防水効果が得られるように圧縮した状態で配置される弾性部材１２３とから構成され、取付け座は熱伝導率の高い材料で形成されるとともに内部に開口部が設けられ、可動部材は開口部の内部において、シャーシ部材に対して当接した状態と離間した状態との間で移動可能に保持されるように構成される。【選択図】図１
2019184890.tif 000002
【特許請求の範囲】
【請求項１】
アクセサリーユニットを電子機器本体に対して着脱可能な構成において、
本体の外観を成す外装部材と
本体内部に配置される電子基板と
前記電子基板からの熱を伝えるように本体内部に固定されるシャーシ部材と
一部が外観に露出し、前記アクセサリーユニットを取り付けるための取付け座と、
本体内部に配置され、前記シャーシ部材に対して移動可能に保持される可動部材と、
前記可動部材を前記シャーシ部材から離間する方向への付勢力を発生させる付勢手段と、
前記可動部材に対して固定され、本体内への防水効果が得られるように圧縮した状態で配置される弾性部材とから構成され、
前記取付け座は熱伝導率の高い材料で形成されるとともに内部に開口部が設けられ、
前記可動部材は前記開口部の内部において、前記シャーシ部材に対して当接した状態と離間した状態との間で移動可能に保持されることを特徴とする電子機器。
【請求項２】
前記アクセサリーユニットを取り付けるための取付け座には前記アクセサリーユニットの取付け部材が挿入されることでユニットの装着を行い、
前記アクセサリーユニットの装着によって、前記可動部材が前記シャーシ部材に対して当接した状態と離間した状態との間で移動することによって、前記取付け座への熱の伝達経路を切り替えることを特徴とする請求項１に記載の電子機器。
【請求項３】
前記取付け座、および前記アクセサリーユニットの取付け部材は金属の導電性材料で形成され、前記アクセサリーユニットを本体に取り付けた際には、前記アクセサリーユニットの金属部が接触して電気的導通を取ることを特徴とする請求項１または２に記載の電子機器。
【発明の詳細な説明】
【技術分野】
【０００１】
本発明は、本体に対してアクセサリーユニットを着脱可能な電子機器の放熱に関するものである。
【背景技術】
【０００２】
近年デジタルカメラの小型化・高機能化にともないカメラの消費電力が大きくなることで、連続撮影や動画の長時間撮影時に内部が高温になるといった問題が増えてきている。
【０００３】
従来、撮像素子を保持する部材と、その近傍に位置する三脚取付け部材を当接させることで撮像素子の熱を伝え、三脚取付け時には三脚へと熱を伝えて放熱する技術が提案されている。
【先行技術文献】
【特許文献】
【０００４】
【特許文献１】特開２００１-１２５１９１号公報
【発明の概要】
【発明が解決しようとする課題】
【０００５】
しかしながら、上述の特許文献に開示された従来技術では撮像素子からの熱を三脚取付け部材へと常に伝達しているため、熱量が大きいと三脚取付け部材の外観に露出している部分が熱くなり使用者に不快感を与えてしまう懸念があった。
【０００６】
そこで本発明の目的は、使用者に不快感を与えることなく、本体内部の熱を効率的に伝達し、外部へと放熱することを可能にした電子機器を提供することである。
【課題を解決するための手段】
【０００７】
上記目的を達成するために、本発明は、
アクセサリーユニットを電子機器本体に対して着脱可能な構成において、
本体の外観を成す外装部材と
本体内部に配置される電子基板と
前記電子基板からの熱を伝えるように本体内部に固定されるシャーシ部材と
一部が外観に露出し、前記アクセサリーユニットを取り付けるための取付け座と、
本体内部に配置され、前記シャーシ部材に対して移動可能に保持される可動部材と、
前記可動部材を前記シャーシ部材から離間する方向への付勢力を発生させる付勢手段と、
前記可動部材に対して固定され、本体内への防水効果が得られるように圧縮した状態で配置される弾性部材とから構成され、
前記取付け座は熱伝導率の高い材料で形成されるとともに内部に開口部が設けられ、
前記可動部材は前記開口部の内部において、前記シャーシ部材に対して当接した状態と離間した状態との間で移動可能に保持されることを特徴とする。
【発明の効果】
【０００８】
本発明によれば、本体単体での使用時には取付け部材への熱伝達が行われないため使用者が触れた際にも不快感をあたえることがない。
【０００９】
また、長時間使用時には外部のアクセサリーユニットへと熱を効率的に伝えることで本体内部の発熱を抑えることが可能となる。
【図面の簡単な説明】
【００１０】
【図１】本発明を適用したデジタルカメラの実施例における構成を最も端的に示した分解斜視図である。
【図２】本発明を適用したデジタルカメラの実施例におけるカメラ本体の部品図である。
【図３】本発明を適用したデジタルカメラの実施例におけるカメラ内部の断面図である。
【図４】本発明を適用したデジタルカメラの実施例におけるカメラ本体およびアクセサリーユニットの斜視図である。
【図５】本発明を適用したデジタルカメラの実施例におけるアクセサリーユニットの斜視図である。
【図６】本発明を適用したデジタルカメラの実施例におけるカメラ本体の斜視図である。
【図７】本発明を適用したデジタルカメラの実施例におけるカメラ内部の断面図である。
【図８】本発明を適用したデジタルカメラの実施例におけるカメラ内部の断面図である。
【図９】第３の実施例に係る電子機器内部の断面図を示したものである。
【図１０】第３の実施例に係る電子機器内部の断面図を示したものである。
【発明を実施するための形態】
【００１１】
以下、本発明の実施の形態を図面に基づいて説明する。
【００１２】
［第１の実施の形態］
図１は、本発明の実施の形態に係る電子機器の構成を示す分解斜視図である。
１０１はカメラ本体の前面を構成するフロントケースであり、本体背面を構成するリアケース１０２に対して固定されることでカメラユニットの外観を形成する。カメラユニット内部には電子基板１０４が固定されており、電子基板１０４の前面側には板金材料で形成されるメインシャーシ１０７が配置され、リアケース１０２に対して不図示のビスによって締結されている。電子基板１０４とリアケース１０２の間には板金材料で形成されたサブシャーシ１０８が配置されている。
【００１３】
電子基板１０４とメインシャーシ１０７の間には熱伝導シート１０６が配置されており、電子基板１０４上の素子からの熱をメインシャーシ１０７へと伝達する。電子基板１０４とサブシャーシ１０８の間には熱伝導シート１０５が配置されており、電子基板１０４の熱をサブシャーシ１０８へと伝達する。
【００１４】
リアケース１０２の底面にはカメラ本体を三脚等に固定するための取付け座１０３が配置されており、本実施例においてはダイキャスト材料によって形成し、インサート成型によってリアケース１０２に対して固定されている。
【００１５】
１２０は金属材料によって形成される可動部材、１２１は可動部材１２０を一方向へと付勢する戻しバネ、１２２は熱伝導シートであり、メインシャーシ１０７に対して固定される。１２３はゴム等の弾性部材で形成される防水パッキンであり段ビス１２４と取付け座１０３との間で圧縮された状態で保持される。
【００１６】
１０９はカメラへの電源を供給するバッテリーであり、前面側のバッテリーフロントケース１１０と背面側のバッテリーリアケース１１１によってバッテリーユニットの外装を形成する。
【００１７】
１１２は後述する方法でカメラに装着して使用するアクセサリーユニットの一部であり、ベース部を形成するクリップベースである。１１３はカメラ本体へ固定するための取付けネジ、１１４は板金部材で形成されクリップベース１１２の内側に固定されるクリッププレートである。１１５はアルミダイキャストで形成されるクリップパネル、１１６はシャフトであり、回転バネ１１７によってクリップレバー１１８が回転付勢された状態で保持される。１１９はＥリングであり、シャフト１１６のスラスト方向への抜け止めを行う。
【００１８】
次にカメラ本体の内部構造を説明する。図２（ａ）はカメラ本体の断面図であり、図２（ｂ）は図２（ａ）の一部を拡大した詳細図である。
【００１９】
図２のように、カメラ本体はフロントケース１０１およびリアケース１０２で形成されるカメラユニットが前方側（図の左側）に位置している。また、バッテリーフロントケース１１０およびバッテリーリアケース１１１で形成されるバッテリーユニットが背面側（図の右側）に位置し、カメラユニットへと電源を供給するバッテリー１０９が内蔵されている。
【００２０】
図２（ｂ）に示すようにカメラユニット内部において、メインシャーシ１０７は電子基板１０４上に実装された素子１０４ａに対して熱伝導シート１０６を介して接触した状態で固定されている。これにより、電子基板１０４上の熱がメインシャーシ１０７へと伝達される。
【００２１】
メインシャーシ１０７の下方には取付け座１０３が配置されている。取付け座１０３は亜鉛ダイキャスト等の金属材料で形成され、樹脂で形成されるリアケース１０２に対してインサート成型によって形成されている。取付け座１０３は内側に、後述するアクセサリーユニット取付けのための雌ネジ形状１０３ａが形成される。また、取付け座１０３の内部には開口部が設けられ、開口部の内周には段ビス１２４が配置されている。取付け座１０３の上面には可動部材１２０が配置され、段ビス１２４のネジ部１２４ａが可動部材１２０に対して係合して固定される。
【００２２】
これにより、可動部材１２０と段ビス１２４は取付け座１０３に対して一体で上下移動可能に保持されている。また、段ビス１２４と取付け座１０３の間には防水パッキン１２３が配置されており、段ビス１２４を可動部材１２０に固定した際に圧縮した状態で取り付けられる。これにより、取付け座１０３の開口部からカメラ本体の内部への浸水を防止する。さらに、可動部材１２０とメインシャーシ１０７の間には戻しバネ１２１が配置され、これによって可動部材１２０がメインシャーシ１０７から離間する方向へと付勢している。
【００２３】
図２の状態において、取付け座１０３にはアクセサリーユニットは取り付けられておらず、戻しバネ１２２によって可動部材１２０はメインシャーシ１０７から離間した状態である。このため、カメラ単体での使用時にはメインシャーシ１０７からの熱は可動部材１２０へは伝達されない。
【００２４】
図３はカメラ本体に対して、アクセサリーユニットを装着した状態を示している。アクセサリーユニットは樹脂で形成されたクリップベース１１２を取付けネジ１１３によって、本体の取付け座１０３の雌ネジ部１０３ａに対して係合させることで固定される。クリップベース１１２に対してシャフト１１６を中心にクリップレバー１１８が回動可能に保持されており、回転バネ１１７の付勢力によって固定物１２６を把持することによってカメラ本体を任意の場所に固定することが可能となる。
【００２５】
図３（ｂ）において、取付けネジ１１３のネジ部１１３ａは取付け座１０３の雌ネジ部１０３ａへと係合している。固定された状態において、取付けネジ１１３の上端部が段ビス１２４の下端部を押し上げることによって、段ビス１２４は上方へと移動する。前述のように、段ビス１２４と可動部材１２０は一体で移動可能に保持されているため可動部材１２０も上方へと移動を行う。この状態で可動部材１２０は熱伝導シート１２２を介してメインシャーシ１０７と接触している。
【００２６】
このため、メインシャーシ１０７からの熱は可動部材１２０へと伝達され、段ビス１２４を介して取付けネジ１１３および取付け座１０３へと伝達する。この時、防水パッキン１２３は図２（ｂ）の状態よりもさらに圧縮されるが、弾性変形領域内における変形のため取付けネジ１１３の上方への移動を阻害することはない。
【００２７】
次にカメラに装着するアクセサリーユニットの構造について説明する。図４はカメラ本体に対してアクセサリーユニットを装着した状態である。アクセサリーユニットはクリップベース１１２がカメラ本体に対して固定される。クリップレバー１１８はクリップパネル１１５に対して、シャフト１１６を中心に回転可能であり、回転バネ１１７によってクリップレバー１１８が対象物を把持するように回転付勢されている。
【００２８】
図５はアクセサリーユニット単体を示している。クリップベース１１２の内側に配置されたクリッププレート１１４はカメラ本体上部に係合するためのフック部１１４ａが２か所形成されている。アクセサリーユニット装着時には、このフック部１１４ａが本体に形成された係止部（不図示）へと係止される。クリッププレート１１４は締結ネジ１２５によってクリップパネル１１５へと固定されている。
【００２９】
クリップベース１１２の取付けネジ１１３付近にはＵ字状の切り欠き部１１２ａが形成されており、クリップベース１１２をカメラ本体に対して装着する際に前記切り欠き部１１２ａ近傍で弾性変形が可能となっている。
【００３０】
次に、カメラ内部の発熱をアクセサリーユニットへと伝達する機構について説明する。
図６はカメラ本体にアクセサリーユニットを装着した状態を示している。図６（ｂ）はカメラ本体にアクセサリーユニットを装着し、さらにアクセサリーユニットのクリップレバー１１８が固定体１２６を把持した状態を示す断面図である。
【００３１】
また、図６（ｂ）の詳細図に示すようにカメラ底面側において、取付けネジ１１３がアクセサリーユニットのクリップベース１１２を挟んだ状態で取付け座１０３へと係合される。この時、クリッププレート１１４の一部は取付け座１０３の外観面に対して接触した状態となる。
【００３２】
図２および図３に示すように、カメラユニット内部において電子基板１０４上の素子１０４ａによる発熱は熱伝導シート１０６を介してメインシャーシ１０７へと伝えられる。アクセサリーユニット装着時はメインシャーシ１０７からの熱は可動部材１２０を介して取付け座１０３へと伝えられる。そして、図６（ｂ）に示すように、アクセサリーユニットのクリッププレート１１４は取付け座１０３に接触するため、取付け座１０３からクリッププレート１１４へと熱伝達される。さらにクリッププレート１１４はクリップパネル１１５に対して接触した状態で締結ネジ１２５によって固定されているため、最終的にはクリップパネル１１５へと熱が伝達される。
【００３３】
クリップパネル１１５はアルミダイキャスト等の金属で形成されており、背面側において外観面を形成する箇所において放熱を行う。
【００３４】
ここで、クリッププレート１１４の外面には樹脂材料で形成されたクリップベース１１２が配置されているため、外観部へ熱の高い部位が露出しないようになっている。これにより使用者が触れる可能性の高い部位には熱を伝えることなく伝熱することが可能となる。さらに、クリップパネル１１５の露出部はクリップベース１１２とクリップレバー１１８の操作部によって囲まれているため通常動作で使用者が触ることはない。したがって、クリップパネル１１５の露出部で放熱を行っても使用者に不快感を与えることがない。
【００３５】
以上説明したように、本構成を実施することでカメラ内部の電子基板１０４の素子１０４ａで発生した熱を伝達する経路を、カメラ単体使用時とアクセサリーユニット装着時のそれぞれにおいて切り替えることが可能となる。これにより、カメラ単体での使用時には外観に露出する取付け座１０３へと熱を伝えないため使用者が触れても不快感を与える心配がない。さらに、アクセサリーユニット装着時には使用者が触れない部位において本体内部の熱をアクセサリーユニットへと伝達して放熱することが可能となる。
【００３６】
本実施例においては、アクセサリーユニットがカメラ本体を固定物１２６に対して把持するためのユニットとして説明したがこれに限定することなく、カメラ本体に装着することが可能な各種アクセサリーユニットに採用することが可能である。
【００３７】
［第２の実施の形態］
図７および図８は第２の実施例に係る電子機器内部の断面図を示したものである。図７はカメラ本体単体での使用時の状態を示している。カメラ底面部の取付け座１０３の内部の開口部には１部品で構成される可動部材１２７が配置される。可動部材１２７は金属材料で形成され、取付け座１０３に対して上下移動可能に保持されている。可動部材１２７の側面部にはゴム材料で形成されたＯリング１２８が固定され、フロントケース１０１の内壁に対してチャージされた状態で保持される。可動部材１２７の上部には戻しバネ１２１が配置され、メインシャーシ１０７から可動部材１２７が離間する方向へと付勢力を発生する。メインシャーシ１０７には熱伝導シート１２２が固定される。
【００３８】
この状態において、可動部材１２７は戻しバネ１２１によって取付け座１０３へと押しつけられているため、可動部材１２７とメインシャーシ１０７は離間した状態である。このため、電子基板１０４からメインシャーシ１０７へと伝達された熱は可動部材１２７には伝わらず、取付け座１０３は高温にはならない。
【００３９】
次に図８はカメラ本体にアクセサリーユニットを装着した状態を示す。アクセサリーユニットの取付けネジ１１３が取付け座１０３に挿入されると取付けネジ１１３の上端部によって押し上げられた可動部材１２７は上方へと移動し、熱伝導シート１２２を介してメインシャーシ１０７へと当接する。これにより、メインシャーシ１０７から可動部材１２７を介して取付けネジ１１３および取付け座１０３へと熱が伝達される。さらに取付け座１０３に接触しているアクセサリーユニットのクリッププレート１１４へと熱が伝わることで放熱を行う。
【００４０】
この時Ｏリング１２８は図７の状態からフロントケース１０１の内壁にチャージした状態を保ちつつ上方へと摺動する。このため、アクセサリーユニットを装着した際にも本体内部への浸水を防止することが可能となる。
【００４１】
［第３の実施の形態］
図９および図１０は第３の実施例に係る電子機器内部の断面図を示したものである。図９はカメラ本体にアクセサリーユニットを装着せずに単体での使用時を示している。
【００４２】
メインシャーシ１０７の上部には可動部材１２０が配置される。可動部材１２０は戻しバネによって上方へと押し上げられて、本体内部に固定されたホルダ部材１３０の内面へと押しつけられた状態を保持している。この状態において可動部材１２０はメインシャーシ１０７から離間しているため電子基板１０４からメインシャーシ１０７へと伝達された熱は可動部材１２０には伝わらず、取付け座１０３は高温にはならない。
次に図１０はカメラ本体にアクセサリーユニットを装着した状態を示す。
【００４３】
取付けネジ１３１は根元部に取付け座１０３と係合する第一ネジ部１３１ａ、先端部に可動部材１２０と係合する第二ネジ部１３１ｂが形成される。取付けネジ１３１がカメラ本体の取付け座１０３へと挿入されると第一ネジ部１３１ａは取付け座１０３の雌ネジ部１０３ａと係合し始め、次に第二ネジ部が可動部材１２０の雌ネジ部１２０ａへと係合し始める。可動部材１２０は第二ネジ部１３１ｂの係合によって下方へと引き寄せられ、熱伝導シート１２２を介してメインシャーシ１０７へと当接する。これにより、メインシャーシ１０７から可動部材１２０を介して取付けネジ１３１および取付け座１０３へと熱が伝達される。さらに取付け座１０３に接触しているアクセサリーユニットのクリッププレート１１４へと熱が伝わることで放熱を行う。
【００４４】
以上、説明した内容によりアクセサリーユニット装着時にはカメラ内部の熱の経路を切り替えることが可能となる。
【符号の説明】
【００４５】
１０１  フロントケース
１０２  リアケース
１０３  取付け座
１０４  電子基板
１０５、１０６  熱伝導シート
１０７  メインシャーシ
１０８  リアシャーシ
１０９  バッテリー
１１０  バッテリーフロントケース
１１１  バッテリーリアケース
１１２  クリップベース
１１３  取付けネジ
１１４  クリッププレート
１１５  クリップパネル
１１６  シャフト
１１７  回転バネ
１１８  クリップレバー
１１９  Ｅリング
１２０  可動部材
１２１  戻しバネ
１２２  熱伝導シート
１２３  防水パッキン
１２４  段ビス
【図１】
2019184890.tif 000003
【図２】
2019184890.tif 000004
【図３】
2019184890.tif 000005
【図４】
2019184890.tif 000006
【図５】
2019184890.tif 000007
【図６】
2019184890.tif 000008
【図７】
2019184890.tif 000009
【図８】
2019184890.tif 000010
【図９】
2019184890.tif 000011
【図１０】
2019184890.tif 000012